(57)【要約】【課題】チャンネルの切り替えにより視聴するコンテンツが変更されたときに、そのコンテンツのジャンルに応じた音響処理への切り替えを違和感の無く行うことができるオーディオ信号処理装置を提供すること。【解決手段】本発明の実施形態に係るＡＶシステムは、ＡＶアンプ２０において、番組情報Ｐｇをテレビ装置１０から予め取得して記憶しておき、チャンネルが切り替えられたときには、テレビ装置１０において、チャンネル切り替え処理とともにチャンネル情報ＣｈをＡＶアンプ２０に送信することができる。そのため、ＡＶアンプ２０においては、チャンネル切り替え後のコンテンツに対応するジャンルを速やかに特定することができ、ジャンルに応じた音場効果の設定に切り替えてオーディオ信号Ｓａｏｕｔを放音することができる。【選択図】図４
2010118743.tif 000002
【特許請求の範囲】
【請求項１】
設定されるチャンネルにおいて放送されるコンテンツに係る表示を行う表示装置と通信する通信手段と、
コンテンツのジャンルを示すジャンル情報と、当該コンテンツが放送される時刻を示す時刻情報とを、チャンネル毎に対応付けた番組情報を取得する番組情報取得手段と、
前記番組情報取得手段によって取得された番組情報を記憶する記憶手段と、
前記表示装置に設定されるチャンネルを指定するチャンネル情報を取得するチャンネル情報取得手段と、
前記チャンネル情報取得手段によってチャンネル情報が取得された時刻を特定する時刻特定手段と、
前記記憶手段に記憶されている番組情報を参照し、前記チャンネル情報取得手段によって取得されたチャンネル情報および前記時刻特定手段によって特定された時刻に応じてジャンル情報を特定し、当該ジャンル情報に応じた音響処理モードを設定する設定手段と、
入力されるオーディオ信号に対して、前記設定手段によって設定された音響処理モードに応じた音響処理を施して出力する音響処理手段と、
を具備することを特徴とするオーディオ信号処理装置。
【請求項２】
前記通信手段は、さらに前記表示装置からオーディオ信号を受信し、
前記音響処理手段に入力されるオーディオ信号は、前記通信手段によって受信されたオーディオ信号である
ことを特徴とする請求項１に記載のオーディオ信号処理装置。
【請求項３】
前記通信手段は、さらに前記表示装置からチャンネル情報を受信するとともに、当該チャンネル情報の受信に対応して時刻を示す取得時刻情報を受信し、
前記チャンネル情報取得手段によって取得されるチャンネル情報は、前記通信手段によって受信されたチャンネル情報であり、
前記時刻特定手段は、前記取得時刻情報に応じて、前記チャンネル情報が取得された時刻を特定する
ことを特徴とする請求項１または請求項２に記載のオーディオ信号処理装置。
【発明の詳細な説明】
【技術分野】
【０００１】
本発明は、音響処理の切り替えを違和感無く行う技術に関する。
【背景技術】
【０００２】
近年、テレビ装置などの表示装置にＡＶアンプなどを接続して外部スピーカから放音させることで、高音質で様々なコンテンツを楽しむことができるようになっている。このようなＡＶアンプにおいては、様々な音響処理により音場効果を与えることができる。視聴者は、視聴するコンテンツに応じて、好みの音場効果に設定を変更することができるが、音場効果を切り替えるときには、音響処理を行うＤＳＰ（Digital Signal Processor）における設定、切り替え時のノイズ防止のために音声がミュートされる。
【０００３】
ところで、チャンネルを切り替えるなどしてコンテンツが変更された場合、そのコンテンツに応じて音響処理を行うためには、ＡＶアンプ側において変更後のコンテンツがどのようなものかを認識する必要がある。そこで、例えば、テレビ装置において受信する放送電波を利用して電子番組表を取得するなどして、視聴するコンテンツがどのようなジャンルであるかを取得し、このジャンルをＡＶアンプに通知することにより、ＡＶアンプに認識させ、そのジャンルに応じた音場効果を付与する音響処理を行うようにさせる技術が提案されている（例えば、特許文献１）。
【特許文献１】特開２００８−３５３３９号公報
【発明の開示】
【発明が解決しようとする課題】
【０００４】
図６は、従来技術におけるテレビ装置における表示とＡＶアンプにおける放音との関係を時系列で示した説明図である。従来技術においては、放送チャンネルの変更が行われてから、テレビ装置においてジャンルの特定が行われ、ＡＶアンプにジャンル情報が送信される。例えば、図６に示すように、放送チャンネルの変更指示が行われた後、しばらく時間が経過してからジャンル情報が送信されることもある。
【０００５】
図６に示す例においては、テレビ装置における表示が「番組Ｇ」に切り替わってから、例えばＴａ経過後にジャンル情報が送信され、その後、音場効果の設定変更処理が行われるから、「番組Ｇ」の視聴中に音声が所定時間（図６における「Ｔｂ」）ミュートされることになり、違和感があるものとなっていた。また、ＡＶアンプにおいては、チャンネルが切り替わったかどうかはジャンル情報を受信するまで認識することはできないから、直前の音場効果の設定のまま放音を続けることにもなり、違和感があった。
【０００６】
本発明は、上述の事情に鑑みてなされたものであり、チャンネルの切り替えにより視聴するコンテンツが変更されたときに、そのコンテンツのジャンルに応じた音響処理への切り替えを違和感の無く行うことができるオーディオ信号処理装置を提供することを目的とする。
【課題を解決するための手段】
【０００７】
上述の課題を解決するため、本発明は、設定されるチャンネルにおいて放送されるコンテンツに係る表示を行う表示装置と通信する通信手段と、コンテンツのジャンルを示すジャンル情報と、当該コンテンツが放送される時刻を示す時刻情報とを、チャンネル毎に対応付けた番組情報を取得する番組情報取得手段と、前記番組情報取得手段によって取得された番組情報を記憶する記憶手段と、前記表示装置に設定されるチャンネルを指定するチャンネル情報を取得するチャンネル情報取得手段と、前記チャンネル情報取得手段によってチャンネル情報が取得された時刻を特定する時刻特定手段と、前記記憶手段に記憶されている番組情報を参照し、前記チャンネル情報取得手段によって取得されたチャンネル情報および前記時刻特定手段によって特定された時刻に応じてジャンル情報を特定し、当該ジャンル情報に応じた音響処理モードを設定する設定手段と、入力されるオーディオ信号に対して、前記設定手段によって設定された音響処理モードに応じた音響処理を施して出力する音響処理手段と、を具備することを特徴とするオーディオ信号処理装置を提供する。
【０００８】
また、別の好ましい態様において、前記通信手段は、さらに前記表示装置からオーディオ信号を受信し、前記音響処理手段に入力されるオーディオ信号は、前記通信手段によって受信されたオーディオ信号であることを特徴とする。
【０００９】
また、別の好ましい態様において、前記通信手段は、ささらに前記表示装置からチャンネル情報を受信するとともに、当該チャンネル情報の受信に対応して時刻を示す取得時刻情報を受信し、前記チャンネル情報取得手段によって取得されるチャンネル情報は、前記通信手段によって受信されたチャンネル情報であり、前記時刻特定手段は、前記取得時刻情報に応じて、前記チャンネル情報が取得された時刻を特定することを特徴とする。
【発明の効果】
【００１０】
本発明によれば、チャンネルの切り替えにより視聴するコンテンツが変更されたときに、そのコンテンツのジャンルに応じた音響処理への切り替えを違和感の無く行うことができるオーディオ信号処理装置を提供することができる。
【発明を実施するための最良の形態】
【００１１】
以下、本発明の一実施形態について説明する。
【００１２】
＜実施形態＞
図１は、本発明の実施形態に係るＡＶシステム１の構成についてのブロック図である。図１に示すように、ＡＶシステム１は、テレビ装置１０、ＡＶアンプ２０およびリモコン３０を有している。テレビ装置１０とＡＶアンプ２０とは、例えば、ＨＤＭＩ（登録商標）ケーブルなどの通信ケーブルにより接続されている。リモコン３０は、チャンネル番号指定、ボリューム値指定などを行うための操作ボタンなどが設けられ、その操作に応じた操作信号を、赤外線などを用いた無線通信により送信する遠隔操作手段である。以下、テレビ装置１０およびＡＶアンプ２０の構成について説明する。
【００１３】
テレビ装置１０は、チャンネル設定部１００、チューナ１０１、映像処理部１０２、音声処理部１０３、通信部１０４、表示部１１０および放音部１２０を有する。チャンネル設定部１００は、リモコン３０から無線通信によりチャンネル番号を指定する操作信号を受信する。そして、チャンネル設定部１００は、操作信号を受信すると、操作信号によって指定されるチャンネル番号を、受信すべき放送チャンネルとして、チューナ１０１に対して設定する。また、そのチャンネル番号を示すチャンネル情報Ｃｈを通信部１０４に出力する。
【００１４】
なお、チャンネル設定部１００は、リモコン３０からの操作信号を受信して、指定されるチャンネル番号を認識していたが、チャンネル番号を指定する操作によりそのチャンネルを示す操作信号を出力する操作部をテレビ装置１０に設け、チャンネル設定部１００は、その操作部からの操作信号により指定されるチャンネル番号を認識してもよい。
【００１５】
チューナ１０１は、映像信号およびオーディオ信号が含まれる放送電波を受信するアンテナなどから受信信号を取得し、チャンネル設定部１００に設定された放送チャンネルに対応する映像信号Ｓｇｉｎ、オーディオ信号Ｓａｉｎを出力する。この映像信号Ｓｇｉｎ、オーディオ信号Ｓａｉｎは、設定された放送チャンネルにおいて放送されるコンテンツを示すものである。また、放送電波から電子番組表を示す番組情報Ｐｇを取得し記憶しておく。そして、通信部１０４からの要求に応じて番組情報Ｐｇを通信部１０４に出力する。さらに、図示しない記憶部にその番組情報Ｐｇを記憶するようにしてもよい。
【００１６】
図２は、番組情報Ｐｇが示す電子番組表の一例を示す説明図である。この電子番組表は、図２に示すように、コンテンツのジャンルを示すジャンル情報と、そのコンテンツが放送される時刻を示す時刻情報とが、放送チャンネル（この例においては、チャンネル番号ＣＨ１、ＣＨ２、ＣＨ３）毎に対応付けられたテーブルである。ここで、コンテンツとは、図２における番組Ａ，Ｂ，Ｃ，・・・を示し、ジャンルとは、ＳＰＯＲＴＳ，ＣＩＮＥＭＡ，・・・を示す。
【００１７】
したがって、図２に示す電子番組表によると、時刻が「１１：５０」のときには、「ＣＨ１」においては、コンテンツが「番組Ｂ」、ジャンルが「ＣＩＮＥＭＡ」、同様に、「ＣＨ２」においては「番組Ｄ」「ＶＡＲＩＥＴＹ」、「ＣＨ３」においては「番組Ｇ」「ＳＰＯＲＴＳ」を示すものとなっている。なお、この例においては、各コンテンツには一のジャンルが対応するようになっているが、各コンテンツ内において一部の時間は別のジャンルが対応するようになっていてもよい。例えば、「番組Ｆ」において「１０：３０」〜「１０：４５」の間は、ジャンルが「ＳＰＯＲＴＳ」となっていてもよい。
【００１８】
図１に戻って説明を続ける。映像処理部１０２は、チューナ１０１から出力された映像信号Ｓｇｉｎを取得し、映像信号Ｓｇｉｎに対して映像出画処理を施した表示用信号Ｓｇｏｕｔを出力する。放送チャンネルが切り替えられたときには、後述する表示部１１０における表示の乱れを防止するために、切り替え後ミュート時間Ｔｍに渡って黒画面を挿入して画像のミュートを行う。
【００１９】
表示部１１０は、液晶ディスプレイ、有機ＥＬディスプレイなどの表示画面を有する表示デバイスであって、映像処理部１０２から出力される表示用信号Ｓｇｏｕｔが入力され、表示用信号Ｓｇｏｕｔに応じた映像を、表示画面に表示する。
【００２０】
音声処理部１０３は、例えばＤＳＰなどであって、チューナ１０１から出力されたオーディオ信号Ｓａｉｎを取得し、オーディオ信号Ｓａｉｎに対してデコード処理、音響処理、遅延処理を施したオーディオ信号Ｓａｋを出力する。この例においては、音声処理部１０３は、放送チャンネルの切り替えのときには、切り替え後、上述のミュート時間Ｔｍだけ音声がミュートされるようにオーディオ信号Ｓａｋを出力することにより、画像のミュートと音声のミュートが一致した期間になるようになっている。なお、この期間は必ずしも一致していなくてもよい。
【００２１】
また、音声処理部１０３は、後述する通信部１０４からの要求に応じて、チューナ１０１から取得したオーディオ信号Ｓａｉｎを通信部１０４に対してそのまま出力する。このとき、放音部１２０へのオーディオ信号Ｓａｋの出力は停止してもよい。なお、通信部１０４からの要求がチューナ１０１に行われるようにして、チューナ１０１から直接、オーディオ信号Ｓａｉｎが通信部１０４に出力されるようにしてもよい。
【００２２】
放音部１２０は、Ｄ／Ａ変換器、増幅器、スピーカを有する。放音部１２０は、音声処理部１０３からオーディオ信号Ｓａｋが入力され、デジタルアナログ変換、増幅処理を行い、スピーカから放音させる。なお、テレビ装置１０においては、チューナ１０１から出力された映像信号Ｓｇｉｎに係る表示と、オーディオ信号Ｓａｉｎに係る放音とのずれが起こらないように、映像処理部１０２、音声処理部１０３における表示用信号Ｓｇｏｕｔ、オーディオ信号Ｓａｋの出力が制御されているものとする。
【００２３】
通信部１０４は、ＨＤＭＩケーブルなどを接続する接続端子を有し、ＡＶアンプ２０と接続して通信を行い、各種信号をやり取りする。この例においては、通信部１０４は、ＡＶアンプ２０からの要求に応じて、チューナ１０１に対して番組情報Ｐｇの出力を要求し、チューナ１０１から出力される番組情報ＰｇをＡＶアンプ２０に送信する。
【００２４】
また、通信部１０４は、ＡＶアンプ２０からの要求に応じて、音声処理部１０３またはチューナ１０１から出力されるオーディオ信号Ｓａｉｎ、チャンネル設定部１００から出力されるチャンネル情報ＣｈをＡＶアンプ２０に送信を開始する。さらに、ＡＶアンプ２０からの要求に応じて、ミュート時間Ｔｍについても送信するようにしてもよい。以上が、テレビ装置１０の構成についての説明である。
【００２５】
ＡＶアンプ２０は、オーディオ信号処理部２１、通信部２２、放音部２３および計時部２４を有する。通信部２２は、ＨＤＭＩケーブルなどを接続する接続端子を有し、テレビ装置１０と接続して通信を行い、各種信号をやり取りする。この例においては、通信部２２は、テレビ装置１０に対して、番組情報Ｐｇの送信の要求、オーディオ信号Ｓａｉｎ、チャンネル情報Ｃｈの送信開始の要求を行う。これにより、テレビ装置１０から番組情報Ｐｇ、オーディオ信号Ｓａｉｎ、チャンネル情報Ｃｈを受信すると、それぞれオーディオ信号処理部２１に出力する。ここで、番組情報Ｐｇの送信の要求については、この例においては、所定時間経過毎に行われるものとする。
【００２６】
放音部２３は、Ｄ／Ａ変換器、増幅器、複数のスピーカを有し、それぞれのスピーカを所定の位置に設置して放音させることで５．１ｃｈ、７．１ｃｈまたはそれ以上のチャンネルのオーディオ信号を再生可能な環境を構成している。放音部２３は、オーディオ信号処理部２１から各スピーカに対応したオーディオ信号Ｓａｏｕｔが入力され、デジタルアナログ変換、増幅処理を行い、各スピーカから放音させる。これにより、放音部２３のスピーカからは、利用者に対して様々な音場効果を与えることができる。なお、サブウーファと複数のスピーカでスピーカアレイユニットを構成することで、複数のビーム化された音が放出され、スピーカアレイユニットが設置された部屋の壁面反射を利用して利用者に到達させるようにしてもよい。
【００２７】
計時部２４は、現在時刻を示す時計を有し、後述する設定部２１３からの要求に応じて、その要求を受けた時点における時刻を示す現在時刻情報を出力する。
【００２８】
オーディオ信号処理部２１は、例えばＤＳＰなどであって、通信部２２から入力されるオーディオ信号Ｓａｉｎに所定の音響処理を施して、オーディオ信号Ｓａｏｕｔとして出力する。以下、オーディオ信号処理部２１の構成について説明する。オーディオ信号処理部２１は、番組情報取得部２１０、記憶部２１１、Ｃｈ情報取得部２１２、設定部２１３および音響処理部２１４を有する。
【００２９】
番組情報取得部２１０は、通信部２２から番組情報Ｐｇを取得し、記憶部２１１に記憶し、また、すでに番組情報Ｐｇが記憶されている場合には、その番組情報Ｐｇを取得した番組情報Ｐｇに更新する。記憶部２１１は、番組情報取得部２１０が取得した最新の番組情報Ｐｇを記憶する。Ｃｈ情報取得部２１２は、通信部２２からチャンネル情報Ｃｈを取得し、設定部２１３にチャンネル情報Ｃｈが示すチャンネル番号を通知する。
【００３０】
設定部２１３は、Ｃｈ情報取得部２１２から通知されるチャンネル番号、計時部２４から取得する現在時刻情報、および記憶部２１１に記憶されている番組情報Ｐｇに応じて、音響処理部２１４に音場効果を設定する。また、設定部２１３には、ジャンルと音場効果とを対応付けた対応テーブルが記憶されている。以下、音場効果の設定の流れについて図３を用いて説明する。
【００３１】
図３は設定部２１３における音場効果の設定の流れを説明するフローチャートである。まず、設定部２１３は、Ｃｈ情報取得部２１２からチャンネル番号の通知があるか否かを判定（ステップＳ１０）し、通知があるまではこの判定を続ける（ステップＳ１０；ＮＯ）。設定部２１３は、Ｃｈ情報取得部２１２から通知されるチャンネル番号を取得する（ステップＳ１０；ＹＥＳ）と、計時部２４に対して現在時刻情報の出力を要求して、現在時刻情報を取得することによって、チャンネル情報ＣｈがＣｈ情報取得部２１２によって取得された時刻を特定する（ステップＳ２０）。
【００３２】
そして、設定部２１３は、記憶部２１１に記憶されている番組情報Ｐｇを参照し、通知されたチャンネル番号および特定した時刻に応じて、テレビ装置１０において受信しているコンテンツのジャンルを特定する（ステップＳ３０）。例えば、番組情報Ｐｇが図２に示すものである場合であって、チャンネル番号が「ＣＨ３」、特定した時刻が「１１：５０」である場合には、特定されるジャンルはＳＰＯＲＴＳ（コンテンツは「番組Ｇ」）となる。
【００３３】
そして、設定部２１３は、特定したジャンルが、前回特定したジャンルとから変更があったか否かを判定（ステップＳ４０）し、変更が無ければ（ステップＳ４０；ＮＯ）、音響処理部２１４への音場効果の設定は行わずに、ステップＳ１０に戻る。一方、ジャンルに変更があった場合（ステップＳ４０；ＹＥＳ）には、設定部２１３は、対応テーブルを参照し、特定したジャンルに対応する音場効果を音響処理部２１４に設定する（ステップＳ５０）。そして、ステップＳ１０に戻る。以上が、設定部２１３の説明である。
【００３４】
図１に戻って説明を続ける。音響処理部２１４は、通信部２２からオーディオ信号Ｓａｉｎを取得し、設定部２１３により設定された音場効果に応じた音響処理を施して、オーディオ信号Ｓａｏｕｔとして出力する。なお、この音響処理部２１４においては、テレビ装置１０におけるチューナ１０１から出力された映像信号Ｓｇｉｎに係る表示と、放音部２３におけるオーディオ信号Ｓａｏｕｔの放音とのずれが起こらないように、オーディオ信号Ｓａｏｕｔの出力が制御されているものとする。これは、チューナ１０１から映像信号Ｓｇｉｎが出力されてから、表示部１１０に表示されるまでの映像出画処理時間が、通信部１０４、２２を介して、または図示しない操作部の操作により、音響処理部２１４に予め設定されるようにしておけばよい。
【００３５】
また、音響処理部２１４は、設定部２１３により設定される音場効果が変更されると、少なくとも音場効果の設定変更の処理に要する期間は、ノイズの出力を防止するために音声がミュートされるように出力を制御する。この例においては、音響処理部２１４は、Ｃｈ情報取得部２１２がチャンネル情報Ｃｈを取得し、前回取得したチャンネル情報Ｃｈのチャンネル番号から変わったときに、所定の信号が取得されるようにする。また、音響処理部２１４は、通信部１０４、２２を介して、または図示しない操作部の操作により、ミュート時間Ｔｍが設定されるようにする。そして、音響処理部２１４は、所定の信号を取得してからミュート時間Ｔｍが経過するまで音声をミュートするように、オーディオ信号Ｓａｏｕｔの出力を制御する。
【００３６】
これにより、この例においては、チャンネルの切り替えにより行われるテレビ装置１０における画像のミュートとＡＶアンプ２０における音声のミュートとが一致した期間とすることができる。なお、この期間は必ずしも一致していなくてもよく、すなわち、所定の信号の取得を行わずに、設定変更の処理を行っているだけミュートするようにしてもよい。
【００３７】
次に、ＡＶシステム１の動作、特にＡＶアンプ２０の動作の具体的な一例について図４を用いて説明する。図４は、テレビ装置１０における表示とＡＶアンプ２０における放音との関係を時系列で示した説明図である。まず、利用者は、チャンネル番号「ＣＨ１」のコンテンツ「番組Ｂ」を視聴しているものとし、ＡＶアンプ２０の音響処理部２１４には、「番組Ｂ」のジャンル「ＣＩＮＥＭＡ」に対応する音場効果「ＣＩＮＥＭＡモード」が設定されているものとする。
【００３８】
そして、利用者は時刻「１１：５０」にリモコン３０を操作して、チャンネル番号「ＣＨ３」を指定して、チャンネルを変更する指示をする。これにより、テレビ装置１０においては、ミュート時間Ｔｍだけ画面がミュートされて、「１１：５０」における「ＣＨ３」のコンテンツ「番組Ｇ」に表示が変更される。
【００３９】
一方、ＡＶアンプ２０においては、チャンネル情報Ｃｈを取得すると、設定部２１３において、現在時刻情報を取得し、記憶部２１１に記憶された番組情報Ｐｇを参照することにより、ジャンルの特定（図４における「特定処理」に対応）が行われ、ジャンルが「ＳＰＯＲＴＳ」であると特定される。そして、音響処理部２１４において「ＳＰＯＲＴＳモード」への音場効果の設定変更処理（図４における「設定処理」に対応）が行われる。この特定処理に要する処理時間がミュート時間Ｔｍ以下となることが望ましく、さらには特定処理と設定処理とに要する合計処理時間が、ミュート時間Ｔｍ以下となる関係であることが望ましい。すなわち、図５における差分時間Ｔｃが「０」以上となるように、特定処理と設定処理とに要する合計処理時間が設定されていることが望ましい。
【００４０】
これにより、テレビ装置１０の表示部１１０における「番組Ｇ」の表示開始と概ね一致したタイミングで、ＡＶアンプ２０の放音部２３からは、「ＳＰＯＲＴＳモード」の音場効果が付与されたオーディオ信号Ｓａｏｕｔの放音が開始される。
【００４１】
このように、本発明の実施形態に係るＡＶシステム１は、ＡＶアンプ２０において、番組情報Ｐｇをテレビ装置１０から予め取得して記憶しておき、チャンネルが切り替えられたときには、テレビ装置１０において、チャンネル切り替え処理とともにチャンネル情報ＣｈをＡＶアンプ２０に送信することができる。そのため、ＡＶアンプ２０においては、チャンネル切り替え後のコンテンツに対応するジャンルを速やかに特定することができ、ジャンルに応じた音場効果の設定に切り替えてオーディオ信号Ｓａｏｕｔを放音することができる。したがって、表示の切り替えにおける画面のミュートを行っている間に、この音場効果の設定の変更を行うこともできるから、表示が行われているときに、音声がミュートされることを防止することもできる。
【００４２】
以上、本発明の実施形態について説明したが、本発明は以下のように、さまざまな態様で実施可能である。
【００４３】
＜変形例１＞
上述した実施形態においては、図５（ａ）に示すように、リモコン３０からの操作信号をテレビ装置１０において受信する構成のＡＶシステム１となっていたが、別の態様であってもよい。
【００４４】
例えば、図５（ｂ）に示すように、リモコン３０からの操作信号を受信するＡＶアンプ２０Ａと、受信しないテレビ装置１０Ａとを有するＡＶシステム１Ａとしてもよい。この場合は、ＡＶアンプ２０ＡのＣｈ情報取得部２１２において、リモコン３０からの操作信号を受信し、指定されたチャンネル番号を示すチャンネル情報Ｃｈとして取得すればよい。そして、Ｃｈ情報取得部２１２は、通信部２２を介して、チャンネル情報Ｃｈをテレビ装置１０に送信し、チャンネル設定部１００においてチャンネル番号を認識させるようにすればよい。
【００４５】
また、別の態様として、図５（ｃ）に示すように、リモコン３０からの操作信号を受信するテレビ装置１０ＢとＡＶアンプ２０Ｂとを有するＡＶシステム１Ｂとしてもよい。この場合は、テレビ装置１０Ｂからのチャンネル情報Ｃｈの送信が不要となるから、テレビ装置１０Ｂのチャンネル設定部１００は、チャンネル情報Ｃｈの出力が不要となる。またＡＶアンプ２０ＢにおけるＣｈ情報取得部２１２は、上述のＡＶアンプ２０Ａと同様にしてリモコン３０の操作信号によりチャンネル情報Ｃｈを取得できるから、通信部２２から取得する必要はない。
【００４６】
このように、Ｃｈ情報取得部２１２において取得されるチャンネル情報Ｃｈについては、実施形態のように通信部２２から取得するだけでなく、上述の例のように様々な態様で取得可能である。そして、どのような態様でチャンネル情報Ｃｈを取得したとしても、テレビ装置１０とＡＶアンプ２０とにおけるチャンネル番号の認識は一致したものとなる構成になっている。
【００４７】
＜変形例２＞
上述した実施形態においては、ＡＶアンプ２０における番組情報取得部２１０は、通信部２２を介して、テレビ装置１０から取得していたが、テレビ装置１０以外から取得するようにしてもよい。この場合には、例えば、ＡＶアンプ２０に番組情報Ｐｇを受信できるチューナを設けたり、番組情報Ｐｇを提供するサーバに接続するネットワーク接続手段を設けたりすればよく、番組情報取得部２１０は、チューナ、ネットワーク接続手段により受信した番組情報Ｐｇを取得するようにすればよい。
【００４８】
＜変形例３＞
上述した実施形態においては、設定部２１３において特定されるチャンネル情報Ｃｈの取得に係る時刻は、計時部２４から現在時刻情報を取得することによって行われていたが、他の態様で取得してもよい。例えば、テレビ装置１０からＡＶアンプ２０に対してチャンネル情報Ｃｈが送信されるときに、その出力の時刻を示す時刻情報がチャンネル情報Ｃｈの送信に対応して送信されるようにし、設定部２１３においては、チャンネル情報Ｃｈに対応して受信した時刻情報に応じて、チャンネル情報Ｃｈの取得に係る時刻の特定を行なうようにすればよい。
【００４９】
＜変形例４＞
上述した実施形態においては、設定部２１３は、チャンネル情報Ｃｈの取得に係る時刻の特定は、計時部２４から現在時刻情報を取得することにより行っていたが、現在時刻情報が示す時刻に一定時間の補正を行うことで特定するようにしてもよい。例えば、この補正を行う時間は、上述した映像出画処理時間に応じたものとすればよい。このようにすると、テレビ装置１０において実際の時刻よりも映像出画処理時間だけ遅れて表示されるコンテンツに係るジャンルと、その時刻における番組情報Ｐｇが示すコンテンツに係るジャンルとのずれを補正することができる。すなわち、１２：００の時点においては、１２：００より映像出画処理時間だけ前の時刻のコンテンツが表示されるから、表示上の時間軸と番組情報Ｐｇ上の時間軸とを合わせることができる。
【００５０】
＜変形例５＞
上述した実施形態においては、音場効果の設定を変更するときには、一旦音声をミュートしていたが、音響処理部２１４における音響処理を並列処理にするなどして、出力されるオーディオ信号Ｓａｏｕｔを、クロスフェード処理により変更前の音場効果が付与されたオーディオ信号と変更後の音場効果が付与されたオーディオ信号と切り替えるようにしたものとしてもよい。
【００５１】
＜変形例６＞
上述した実施形態において、設定部２１３は、所定時間ごとに計時部２４から現在時刻情報を取得し、記憶部２１１に記憶されている番組情報Ｐｇを参照して、その現在時刻情報と最新のチャンネル情報Ｃｈとにより特定されるジャンルが変わった場合には、そのジャンルに応じて音響処理部２１４の音場効果の設定を変更するようにしてもよい。例えば、「ＣＨ２」の「番組Ｄ」を視聴中に、現在時刻情報が示す時刻が「１２：００」になった場合には、設定部２１３は、音響処理部２１４における音場効果の設定を「ＶＡＲＩＥＴＹモード」から「ＳＰＯＲＴＳモード」に変更するようにすればよい。
【００５２】
＜変形例７＞
上述した実施形態において、チューナ１０１がテレビ装置１０の外部のＳＴＢ（Set-top box）などに設けられる場合には、テレビ装置１０は、無線通信などによって映像信号Ｓｇｉｎおよびオーディオ信号Ｓａｉｎを取得する一方、ＡＶアンプ２０は、外部に設けられたチューナ１０１から直接オーディオ信号Ｓａｉｎを取得するようにしてもよい。この場合、チャンネル情報Ｃｈ、番組情報Ｐｇは、外部に設けられたチューナ１０１から取得するようにしてもよい。
【００５３】
＜変形例８＞
上述した実施形態において、放音部２３がスピーカアレイユニットを構成し、複数のビーム化された音を放出するものである場合、チャンネル切り替え後のコンテンツに対応するジャンルに応じて、ビームの放出の態様、例えば、ビームの数、放出方向などを変化させるようにしてもよい。この場合は、設定部２１３は、ジャンルとビーム放出の態様とを対応付けたテーブルを記憶するようにし、特定したジャンルに対応するビーム放出の態様を音響処理部２１４に設定するようにすればよい。そして、音響処理部２１４は、取得したオーディオ信号Ｓａｉｎに対して、設定されたビーム放出の態様に応じて遅延処理などの信号処理を施し、スピーカアレイユニットの各スピーカに対応したオーディオ信号を生成して、それぞれに対して供給すればよい。
【図面の簡単な説明】
【００５４】
【図１】実施形態に係るＡＶシステムの構成を示すブロック図である。
【図２】実施形態に係る番組情報を示す説明図である。
【図３】実施形態に係る設定部の動作を示すフローチャートである。
【図４】実施形態に係る音場効果設定の説明図である。
【図５】変形例１に係るＡＶシステムの構成を示すブロック図である。
【図６】従来技術に係る音場効果設定の説明図である。
【符号の説明】
【００５５】
１，１Ａ，１Ｂ…ＡＶシステム、１０，１０Ａ，１０Ｂ…テレビ装置、１００…チャンネル設定部、１０１…チューナ、１０２…映像処理部、１０３…音声処理部、１０４…通信部、１１０…表示部、１２０…放音部、２０，２０Ａ，２０Ｂ…ＡＶアンプ、２１…オーディオ信号処理部、２２…通信部、２３…放音部、２４…計時部、２１０…番組情報取得部、２１１…記憶部、２１２…Ｃｈ情報取得部、２１３…設定部、２１４…音響処理部、３０…リモコン
【図１】
2010118743.tif 000003
【図２】
2010118743.tif 000004
【図３】
2010118743.tif 000005
【図４】
2010118743.tif 000006
【図５】
2010118743.tif 000007
【図６】
2010118743.tif 000008